(57)【要約】【課題】男性は立ち小用後に、ペニス先端の残尿を振り落とす際、飛散した尿滴で便器の縁などを汚したり、振り残した尿で自らの下着を汚していた。そこで、カットしたペーパーをペニス先端に押し当てるだけで尿をキレイに吸収するロールペーパーを装着でき、且つペーパーのカットを片手でできるペーパーホルダーを提供する。【解決手段】平面視コの字状の本体枠（１）上部に、支持桁（２）と蓋（３）を配設し、その蓋（３）にカッター板（４）を立設し、そのカッター板（４）に防護カバー（５）を被装し、本体枠（１）内側に装着したロールペーパー（Ｂ）の先端片（１４）を、ホルダーの上部に常時待機する状態にしたことを特徴とするペーパーホルダー。【選択図】図１
2015071023.tif 000002
【特許請求の範囲】
【請求項１】
平面視コの字状に形成され、前面・天井面・底面が開口され、背面及び左右の側面が閉じられた壁面を成す本体枠と、その本体枠の内側に囲まれるようにロールペーパーが設置されるところの通常のトイレットペーパーホルダー（以下、ペーパーホルダーと呼ぶ）を仮定し、このようなペーパーホルダーの横幅（ロールペーパーを内設す本体枠の正面開口幅）を半分程のものに形成し、これに装着されるロールペーパーも、通常の紙幅の１／３程で、且つ二枚重ねのペーパーを３層〜４層にした程の厚さのペーパー材を巻き回したロールが望ましいということを前提するのであるが、本体枠天井面において、背面壁上端から前方へ数センチ幅で、背面壁及び左右壁面と連続的一体に形成された形で、補強部を形成し、この補強部の前端縁に接しつつ、天井面前端付近まで、蓋を設けるが、この蓋は、後端（補強部との境）から僅か前方寄りの地点で、左右両側面に軸止めされ、軸回転の開閉式に設置され、蓋の前端には、断面円弧状の凸面が下方へ突き出る形で押さえ部が形成され、本体枠の両壁面の最上部前端には、左右に橋渡しするように、この押さえ部の凸面にピッタリ相応する凹面の受け部を具えた支持桁が渡設され、左右側壁に軸止め固定され、更に、蓋上面において、押さえ部から後方へ約２センチ程の地点に、押さえ部と平行に、鋸歯カッター板を立設するが、カッター板の高さは、ペーパーカット時に最低必要な約３センチ以上に形成され、上部先端には鋸歯が形成され、鋸歯から少し下りた地点の左右両脇に、同じ高さで、狭い段差部を形成し、バネ受け段差部を設けるのであって、このようなカッター板に上からバネ受け段差部まで蔽い被さって、細幅の中空スリットの中に収納してしまう防護カバーを設置するのだが、防護カバーは、左右端の底部から上方半ば辺まで穿孔されたバネ孔にバネが内設され、カッター板のバネ受け段差部から上を上下可動反動し、ペーパーカット時以外は常に、防護カバーの上端が鋸歯よりも上方位置に自動的に押し上げられており、ペーパーカット時にペーパー面で押し下げられた時のみ、鋸歯先端が防護カバー上端より顔を出すという形であり、防護カバーの中央下部辺にはピンが挿通され、相対応するカッター板の位置には縦長孔が形成され、ピンは縦長孔に制限された範囲内で上下動を行うことによって、防護カバーがカッター板から外れることを防止しているのであるが、トイレの壁に取り付けるためには、本体枠の左右壁面の何れか、又は背面壁を上方へ少し延長して、取り付け板を形成しておけばよいのであって、このような全体構成における本体枠の内側に、回転巻き取り式のロールペーパーが、通常の上から下へとは逆に、下から上へ引き出すように設置され、引き出されるペーパー先端片は、蓋前端の押さえ部と支持桁の受け部の間を挟まれながら通り抜けて、上方に数センチ引っ張り出された状態で常時待機する形で使用されるということを特徴とするペーパーホルダー。
【発明の詳細な説明】
【技術分野】
【０００１】  本発明は、使用開始時のロールペーパーの先端片がホルダーの上部に常時上向きの状態で待機し、且つロールペーパーのカットも片手だけで簡単にできるペーパーホルダーに関するものである。
【背景技術】
【０００２】  従来、トイレに設置されているペーパーホルダーは、ロール型トイレットペーパーの先端片を一方の手で下方向に引き出し、他方の手で板状のカバーを押さえてロールの回転を止め、カバー先端の鋸歯などにペーパーを押し当ててカットしたり、又はペーパーのミシン目をカットするなど、両手を使ってペーパーをカットするものが多く用いられている。また、特許公報において、片手でトイレットペーパーをカットした後に、次回使う紙の先端紙が垂れ下がるとしたトイレットペーパーホルダーの先行技術も知られている（特許文献１参照）。
【先行技術文献】
【特許文献】
【０００３】
【特許文献１】  特開２００２−６５５０３号公報
【発明の概要】
【発明が解決しようとする課題】
【０００４】  近年、一般家庭のトイレの殆どが水洗式となり、便器は洋式の大小便兼用型が普及し家族で共用しているのが実態である。しかし、トイレの清潔さに拘る世代が増えると共に、男性の立ち小用が共用便器の縁などを汚したり、自らの下着も汚していると問題視され、小用後ペニス先端の残尿を振り落とさず、ペーパーで拭き取るように言われつつある。これまで、男性の自宅トイレでの立ち小用は看過されてきたが、これからは、女性側の意見も聞かざるを得ず、家族が常にきれいなトイレを使う為に男性も協力すべき時代が来たようである。【０００５】  ところが、立ち小用後の男性がペーパーを使って尿処理をする場合、既成のペーパーホルダー及びロール型トイレットペーパーは便器に向かって立つ男性の後方になり、同じペーパーホルダーを前方に取り付けても、ペーパーの切り口がホルダーカバーに隠れたり、ロール側にへばり付いてることが多いため男性が苛立つことになる。また、特許文献１に記載のトイレットペーパーホルダーの場合、立った状態の男性には、垂れ下がったロール型トイレットペーパー（ＪＩＳ規格品）の先端片を掴み難く、それを片手だけでカットできたとしても、ペーパーに尿を滲み込ませるためには、薄いペーパーを片手で何層にも重ねることになり、両手を使い難い男性には煩わしいかぎりである。又、市販されているペーパーホルダーの中にも、片手だけでペーパーをカットできるものもあるが、同じ薄いロール型トイレットペーパーを使うために同様の所作を片手で行うことになる。【０００６】  そこで、カットしたペーパーをペニス先端に押し当てるだけで、瞬時に尿を吸収できる紙厚で幅の狭いロール型トイレットペーパーを装着でき、更に、そのロール型トイレットペーパーの先端片を掴み易く常時上向きに待機させることができ、その先端片のカットを片手だけで容易にできる男性用のペーパーホルダーが必要となるのである。
【課題を解決するための手段】
【０００７】  平面視コの字状に形成され、前面・天井面・底面が開口され、背面及び左右の側面が閉じられた壁面を成す本体枠と、その本体枠の内側に囲まれるようにロールペーパーが設置されるところの通常のトイレットペーパーホルダー（以下、ペーパーホルダーと呼ぶ）を仮定し、このようなペーパーホルダーの横幅（ロールペーパーを内設する本体枠の正面開口幅）を半分程のものに形成し、これに装着されるロールペーパーも、通常の紙幅の１／３程で、且つ二枚重ねのペーパーを３層〜４層にした程の厚さのペーパー材を巻き回したロールが望ましいということを前提し、以下、本発明の構造的特徴を説明する。【０００８】  本体枠天井面において、背面壁上端から前方へ数センチ幅で、背面壁及び左右壁面と連続的一体に形成された形で、補強部を形成する。この補強部の前端縁に接しつつ、天井面前端付近まで、蓋を設けるが、この蓋は、後端（補強部との境）から僅か前方寄りの地点で、左右両側面に軸止めされ、軸回転の開閉式に設置される。蓋の前端には、断面円弧状の凸面が下方へ突き出る形で押さえ部が形成される。本体枠の両壁面の最上部前端には、左右に橋渡しするように、この押さえ部の凸面にピッタリ相応する凹面の受け部を具えた支持桁が渡設され、左右側壁に軸止め固定される。更に、蓋上面において、押さえ部から後方へ約２センチ程の地点に、押さえ部と平行に、カッター板を立設するが、カッター板の高さは、ペーパーカット時に最低必要な約３センチ以上に形成され、上部先端には鋸歯が形成され、鋸歯から少し下りた地点の左右両脇に、同じ高さで、狭い段差部を形成してバネ受け段差部を設ける。このようなカッター板に上からバネ受け段差部まで蔽い被さって、細幅の中空スリットの中に収納してしまう防護カバーを設置するのだが、防護カバーは、左右端の底部から上方半ば辺まで穿孔されたバネ孔にバネが内設され、カッター板のバネ受け段差部から上を上下可動反動し、ペーパーカット時以外は、常に防護カバーの上端が鋸歯よりも上方位置に自動的に押し上げられており、ペーパーカット時にペーパー面で押し下げられた時のみ、鋸歯先端が防護カバー上端より顔を出す。防護カバーの中央下部辺にはピンが挿通され、相対応するカッター板の位置には縦長孔が形成され、ピンは縦長孔に制限された範囲内で上下動を行うことによって、防護カバーがカッター板から外れることを防止している。トイレの壁に取り付けるためには、本体枠の左右壁面の何れか、又は背面壁を上方へ少し延長して、取り付け板を形成しておけばよい。【０００９】  このような全体構成における本体枠の内側に、回転巻き取り式のロールペーパーが、通常の上から下へとは逆に、下から上へ引き出すように設置され、引き出されるペーパー先端片は、蓋前端の押さえ部と支持桁の受け部の間を挟まれながら通り抜けて、上方に数センチ引っ張り出された状態で常時待機する形で使用される。
以上を特徴とするペーパーホルダーである。
【発明の効果】
【００１０】  共用便器で立ち小用した男性がこのペーパーホルダーを使うことにより、ペーパーの先端片が掴み易く片手だけでカットでき、その先端片をペニス先端に押し当てるだけで瞬時に尿処理ができるため、男性にペーパーを使う煩わしさを感じさせず習慣になることが期待できる。また、男性がペーパーで尿処理をすることにより、便器の清潔さが保持され家族が気持ち良くイレを使用できるとともに、男性自身も尿で指先や下着を濡らすことなく衛生的である。
【図面の簡単な説明】
【００１１】
【図１】本発明の使用状態を示す斜視図
【図２】本発明の分解斜視図
【図３】図１における本発明のＣ−Ｃ断面図
【図４】図２における防護カバーのＤ−Ｄ断面図
【発明を実施するための形態】
【００１２】  以下、本発明の実施の形態について図１〜図４にもとづいて説明する。
平面視コの字状に形成され、前面・天井面・底面が開口され、背面及び左右の側面が閉じられた壁面を成す本体枠（１）と、その本体枠（１）の内側に囲まれるようにロールペーパー（Ｂ）が設置されるところの通常のトイレットペーパーホルダー（以下、ペーパーホルダーと呼ぶ）を仮定し、このようなペーパーホルダー（Ａ）の横幅・即ちロールペーパー（Ｂ）を内設する本体枠（１）の正面開口幅を半分程のものに形成し、これに装着されるロールペーパー（Ｂ）も、通常の紙幅の１／３程で、且つ二枚重ねのペーパーを３層〜４層にした程の厚さのペーパー材を巻き回したロールが望ましいということを前提する。
【００１３】  本体枠（１）天井面において、背面壁上端から前方へ数センチ幅で、背面壁及び左右壁面と連続的一体に形成された形で、補強部（６）を形成する。この補強部（６）の前端縁に接しつつ、天井面前端付近まで、蓋（３）を設けるが、この蓋（３）は、後端・即ち補強部（６）との境・から僅か前方寄りの地点で、左右両側面に軸止めされ、軸回転の開閉式に設置される。蓋（３）の前端には、断面円弧状の凸面が下方へ突き出る形で押さえ部（７）が形成される。本体枠（１）の両壁面の最上部前端には、左右に橋渡しするように、この押さえ部（７）の凸面にピッタリ相応する凹面の受け部（８）を具えた支持桁（２）が渡設され、左右側壁に軸止め固定される。更に、蓋（３）上面において、押さえ部（７）から後方へ約２センチ程の地点に、押さえ部（７）と平行に、鋸歯具有のカッター板（４）を立設するが、カッター板（４９の高さは、ペーパーカット時に最低必要な約３センチ以上に形成され、上部先端には鋸歯（９）が形成され、鋸歯（９）から少し下りた地点の左右両脇に・同じ高さで、狭い段差部を形成してバネ受け段差部（１０）を設ける。このようなカッター板（４）に上からバネ受け段差部（１０）まで蔽い被さって、細幅の中空スリット（１１）の中に収納してしまう防護カバー（５）を設置するのだが、防護カバー（５）は、左右端の底部から上方半ば辺まで穿孔されたバネ孔にバネが内設され、カッター板（４）のバネ受け段差部（１０）から上を上下可動反動し、ペーパーカット時以外は、常に防護カバー（５）の上端が鋸歯（９）よりも上方位置に自動的に押し上げられており、ペーパーカット時にペーパー面で押し下げられた時のみ、鋸歯（９）先端が防護カバー（５）上端より顔を出す。防護カバー（５）の中央下部辺にはピンが挿通され、相対応するカッター板（４）の位置には縦長孔（１２）が形成され、ピンは縦長孔（１２）に制限された範囲内で上下動を行うことによって、防護カバー（５）がカッター板（４）から外れることを防止している。トイレの壁に取り付けるためには、本体枠（１）の左右壁面の何れか、又は背面壁を上方へ少し延長して、取り付け板（１３）を形成しておけばよい。
【００１４】  このような全体構成における本体枠（１）の内側に、回転巻き取り式のロールペーパー（Ｂ）が、通常の上から下へとは逆に、下から上へ引き出すように設置され、引き出されるペーパー先端片（１４）は、蓋（３）前端の押さえ部（７）と支持桁（２）の受け部（８）の間を挟まれながら通り抜けて、上方に数センチ引っ張り出された状態で常時待機する形で使用される。
本発明は以上のような構成であり、以下、これを実際に使用する場合の使い方を説明する。
イ．このペーパーホルダー（Ａ）を、共用便器に向かって立つ男性の左手やや前方のトイレ側面壁の胸の高さ辺りに設置し、装着したロールペーパー（Ｂ）のペーパー先端片（１）を受け部（８）と押さえ部（７）の間を通して上方向に３センチ程引き出しておく。
ロ．そして、立ち小用後に、ペーパー先端片（１４）を掴んで所要分を引き出し、ペーパー面を鋸歯（９）に押し当てて引き下げる際、ペーパーの押圧力が押さえ部（７）に伝わり、押さえ部（７）がペーパーを強く挟持して動きを止めるため、片手でのペーパーカットが容易でき、カットしたペーパー先端片（１４）をペニス先端に押し当てると、紙厚のペーパーが瞬時に尿を吸収して僅か４〜５秒で尿処理ができる。
【符号の説明】
【００１５】    Ａ  ペーパホルダー
Ｂ  ロールペーパー
１  本体枠
２  支持桁
３  蓋
４  カッター板
５  防護カバー
６  補強部
７  押さえ部
８  受け部
９  鋸歯
１０  バネ受け段差部
１１  中空スリット
１２  縦長孔
１３  取り付け板
１４  ペーパー先端片
【図１】
2015071023.tif 000003
【図２】
2015071023.tif 000004
【図３】
2015071023.tif 000005
【図４】
2015071023.tif 000006